(57)【要約】    【課題】本発明は、随意座を提供する。    【解決手段】少なくとも一つの強化プラスチックからブロー成形された座体と、通気装置セット等の部材から構成され、キャリーケースに適用され、上記座体は、その形状が、ユーザーの異なる座り姿勢に応じて、変化でき、また、内部に対して、充／排気することにより、展開して成型し、或いは、排気して収納でき、また、独自な固体として利用でき、また、キャリーケースの通気装置セットに連結して利用でき、それから、通気装置セットの収納空間内に収納され、使用する時、通気装置セットにより、座体の内部に対して、通気して、座体が展開されて成型され、随意に、座ることができる便利性がある。【選択図】図1
2014030564.tif 000002
【特許請求の範囲】
【請求項１】
少なくとも一つの強化プラスチックからブロー成形された座体と、通気装置セット等の部材から構成され、キャリーケースに適用され、上記座体は、その形状が、ユーザーの異なる座り姿勢に応じて、変化でき、また、内部に対して、充／排気することにより、展開して成型し、或いは、排気して収納でき、また、独自な固体として利用でき、また、キャリーケースの通気装置セットに連結して利用でき、それから、通気装置セットの収納空間内に収納され、使用する時、通気装置セットにより、座体の内部に対して、通気して、座体が展開されて成型され、随意に、座ることができる便利性があることが、その特徴である、
ことを特徴とする随意座。
【請求項２】
通気口が設けられ、通気口を経由して、通気や排気できる少なくとも一つの座体と、
通気筒と収納空間が設けられ、上記通気筒から、通気ハンドルや通気管及び通気栓が伸び、上記収納空間に、排気状態下の座体や通気管と通気栓が収納される通気装置セットと、が含有され、
上記通気筒の通気栓も座体の通気口が連結され、通気ハンドルを利用して通気することにより、膨張しえ、通気状態の座体が形成される、
ことを特徴とする随意座。
【請求項３】
上記通気装置セットは、キャリーケースに固定され、あるいは、取り外し可能に実装される、
ことを特徴とする請求項１か２に記載の随意座。
【請求項４】
上記座体は、背凭れを有する椅子形態であることを特徴とする請求項１か２に記載の随意座。
【請求項５】
上記座体は、座布団形態であることを特徴とする請求項１か２に記載の随意座。
【請求項６】
上記座体は、マットレス形態であることを特徴とする請求項１か２に記載の随意座。
【発明の詳細な説明】
【技術分野】
【０００１】
本発明は、随意座に関し、特に、便利に携帯可能で、且つ、操作が簡単でありながら、異なる各種類の環境や地形でも使用でき、快適に休憩できるものに関する。
【背景技術】
【０００２】
キャリーケースを引いて海外へ出国すれば、非常に便利なことになり、また、海外へ旅行する機会が多くなり、飛行機に乗り待ちの時間も機会も増えて来て、また、飛行機の離陸が遅延される要素も前より多くなり、そのため、飛行機のディレイにより、待合室に混雑する様子が良く見え、待合室において、座る人も、横になる人も居るから、見る人にとっても、見られる人も、混乱する雰囲気を感じして、気持ちが悪くなる。
【０００３】
発明者が、その問題を解消するため、出国者のためのキャリーケースに使用できる新規設計を行い、携帯便利且つ操作簡単の設計原則の下において、飛行機を待つ旅行者に対して、快適に休憩できるものを開発して来た。
【０００４】
本発明者は、上記欠点を解消するため、慎重に研究し、また、学理を活用して、有効に上記欠点を解消でき、設計が合理である本発明を提案する。
【発明の概要】
【発明が解決しようとする課題】
【０００５】
本発明は、随意座を提供し、それは、収納容易性や携帯便利性、機能変化性、経済性、及び拡張機能等の産業専用属性の方面に、非常に有利的であり、その主な目的は、携帯便利性や機能変化性の具体性能に目を向いて、また、その使用の機能変化性や組立て便利性、安定性、経済性及び拡張機能等を向上し、通気式椅子の一般機能の他に、その実用性を両立でき、産業においての発展性も含まれるものである。
【０００６】
本発明は、通気装置セットの通気栓を、座体の通気口に連結して、通気ハンドルで通気を操作すると、膨張して、通気状態の座体が形成されるものである。
【課題を解決するための手段】
【０００７】
上記目的や機能を達成するための随意座は、独自に利用してもよいし、キャリーケースの通気装置セットに連接して利用してもよく、また、通気装置セットの収納空間内に笑納されることができ、本発明によれば、通気装置セットで、座体の内部に通気を行うと、座体が展開し、携行者のニーズに応じて成型でき、実用便利性が非常に優れたものである。
【０００８】
本発明によれば、次の具体的な特徴や利点が得られ、
１、外出の時、携帯便利で、且つ、スペースを取らなく、実用上、非常に便利的なものである。
２、使用しない時、専用空間に収納され、有効に、保管管理されることである。
３、通気後の形態が、豊かに変化でき、機能性と実用性を両立することである。
４、通気ハンドルが、完全に、収納ユニット内に収納され、美観性が優れたものである。
５、同時に、複数セットの通気式座体が収納されることが可能であるため、使用の柔軟性が向上されることである。
６、収納ボックスに付けて携帯でき、使用便利性が大幅に向上されることである。
７、いつでも、どこでも、通気や排気でき、便利性が極めて優れたことである。
【０００９】
以下、図面を参照しながら、本発明の特徴や技術内容について、詳しく説明するが、それらの図面等は、参考や説明のためであり、本発明は、それによって制限されることが無い。
【発明を実施するための最良の形態】
【００１０】
図１と図２のように、本発明は、少なくとも一つの座体１と、通気装置セット２とが含有され、    
少なくとも一つの座体１には、通気口１１が設けられ、上記の座体１は、通気口１１から、通気や排気をでき、上記座体１の材質は、強化プラスチックから吹塑成型され、透明や半透明或いは不透明等の外観を形成しても良い。
【００１１】
通気装置セット２は、図３のように、通気筒２１と収納空間２２が設けられ、上記通気筒２１から、通気ハンドル２１１と通気管２１２及び通気栓２１３が伸び、上記収納空間２２に、排気状態の座体１や通気管２１２及び通気栓２１３が収納され、上記通気装置セット２の収納空間２２に、更に、引き戸２２１が設けられ、通気装置セット２の上部に、更に、通気ハンドル２１１が収納されるための収納槽２３が形成される。
【００１２】
通気ハンドル２１１が収納された状態は、図３のようである。
【００１３】
上記通気筒２１の通気栓２１３を、座体１の通気口１１に連結して、通気ハンドル２１１を操作して通気すると、膨張した後、通気状態の座体１が形成される（図４と図５のように）。
【００１４】
図１は、本発明の第一応用実施例であり、通気装置セット２の引き戸２２１を開いた後、座体１を取り出し、また、同時に、通気管２１２を、収納空間２２から、引き出し、通気栓２１３を、座体１の通気口１１に連結し、通気ハンドル２１１を操作し、気体を座体１に注入して膨張させると、背凭れを有する椅子が形成され、使用しない場合、座体１の通気口１１から排気させればよい。
【００１５】
図４は、本発明の第二応用実施例であり、通気装置セット２の引き戸２２１を開いた後、座体１を取り出し、また、同時に、通気管２１２を、収納空間２２から、引き出し、通気栓２１３を、座体１の通気口１１に連結し、通気ハンドル２１１を操作し、気体を座体１に注入して膨張させると、直接に座布団が形成され、或いは、折り畳むことにより座布団が形成され、使用しない場合、座体１の通気口１１から排気させればよい。
【００１６】
図５は、本発明の第三応用実施例であり、通気装置セット２の引き戸２２１を開いた後、座体１を取り出し、また、同時に、通気管２１２を、収納空間２２から、引き出し、通気栓２１３を、座体１の通気口１１に連結し、通気ハンドル２１１を操作し、気体を座体１に注入して膨張させると、直接にマットレスが形成され、或いは、折り畳むことにより、マットレスが形成され、使用しない場合、座体１の通気口１１から排気させればよい。
【００１７】
図６は、本発明の実施例の附携行状態図であり、座体１が収納された（図１と図２）通気装置セット２全体が、収納ボックス３（即ち、キャリーケースや手持ちケース等）の外部に付けられ、付ける方式は、固定式や、マジックテップ或いは磁石或いはホックで快速的に結合でき、便利に携行状態であればよい。
【００１８】
本発明は、隨意座の応用技術であり、特に、独自的に利用でき、或いは、キャリーケースの通気装置セット２に連接され、通気装置セット２の収納空間２２内に収納される座体１を利用し、通気筒２１で、座体１に対して通気して、椅子や座布団或いはマットレス等が形成され、また、排気された後の座体１が、収納空間２２内に収納されることにより、使用便利性や変化性が向上され、収納と携行の便利性を両立できるものである。
【００１９】
そのため、本発明は、より進歩的かつより実用的で、法に従って発明請求を出願する。
【００２０】
以上は、ただ、本発明のより良い実施例であり、本発明は、それによって制限されることが無く、本発明に係わる発明の請求の範囲や明細書の内容に基づいて行った等価の変更や修正は、全てが、本発明の請求の範囲内に含まれる。
【図面の簡単な説明】
【００２１】
【図１】本発明の一つの実施例の全体構造分解図
【図２】本発明の第一応用実施例の通気状態図
【図３】本発明の一つの実施例の全体構造断面図
【図４】本発明の第二応用実施例の通気状態図
【図５】本発明の第三応用実施例の通気状態図
【図６】本発明の実施例全体の立体外観図
【符号の説明】
【００２２】
１     座体
１１      通気口
２  打氣裝置
２１      通気筒
２１１       通気ハンドル
２１２       通気管
２１３       通気栓
２２      収納空間
２２１       引き戸
２３      収納槽
３  キャリーケース
【図１】
2014030564.tif 000003
【図２】
2014030564.tif 000004
【図３】
2014030564.tif 000005
【図４】
2014030564.tif 000006
【図５】
2014030564.tif 000007
【図６】
2014030564.tif 000008